(57)【要約】【課題】複数の部位を互いにネジ締結して構成する筐体に関し、締結強度を落とすことなく筐体を薄肉化すること。【解決手段】ネジ締結される筐体間にネジ受け部１を挿入し、ネジ締結力は前記ネジ受け部で支持し、筐体を前記ネジと前記ネジ受け部間に挟持することにより、筐体自身に雌ねじ部が無くなるので、締結強度を保ったまま筐体を薄肉化することができる。また、ネジ受け部１近傍で筐体の複数の部位を互いに接触させることにより、筐体の接地を確実に行なうことができる。【選択図】図３
2008020126.tif 000002
【特許請求の範囲】
【請求項１】
複数の部位をネジで締結し組み立て構成する装置の筐体において、前記ネジの受け部を筐体を保持する筐体間に挟持したことを特徴とした装置の筐体。
【請求項２】
受け部は筐体の一部に挿入あるいは勘合するように取付けられることを特徴とした請求項１に記載の装置の筐体。
【請求項３】
受け部は樹脂からなることを特徴とした請求項１または２に記載の装置の筐体。
【請求項４】
受け部は樹脂からなり、且つ、筐体は金属と樹脂からなり、前記筐体は、前記受け部の近傍において、相互に接触することを特徴とした請求項１〜３のいずれか１項に記載の装置の筐体。
【請求項５】
受け部は、筐体に挿入するための爪部と雌ネジ部からなることを特徴とした請求項１〜４のいずれか１項に記載の装置の筐体。
【請求項６】
筐体の一部は、受け部の挿入方向を規制する突起、あるいは切り起こし形状を設けたことを特徴とした請求項１〜５のいずれか１項に記載の装置の筐体。
【請求項７】
受け部の一部は、挿入方向を規制するために、他の部位と幅を異なるようにしたことを特徴とした請求項１〜６のいずれか１項に記載の装置の筐体。
【発明の詳細な説明】
【技術分野】
【０００１】
本発明は複数の部位からなる筐体に関するものである。
【背景技術】
【０００２】
従来、この種の複数部位をネジ締結されている筐体は、筐体自身に雌ねじ部が設けられている。また、筐体内部の金属部品と筐体を締結しているものもある（例えば、特許文献１参照）。
【特許文献１】実開平５−３８２２号公報
【発明の開示】
【発明が解決しようとする課題】
【０００３】
しかしながら、前記従来の構成では、筐体全体の小型化や軽量化を目的として、締結される筐体自体の薄肉化を行うことが、筐体に設けられている雌ねじ部の縮小・脆弱化につながるので、筐体の薄肉化が困難であるという課題を有していた。また、図６に示すように、ネジ受け部の形状が対称的であり、筐体への取付けミスが生じることがあった。
【０００４】
本発明は、前記従来の課題を解決するもので、ネジ締結されている筐体の薄肉化と作業の確実性を実現する筐体を提供することを目的とする。
【課題を解決するための手段】
【０００５】
前記従来の課題を解決するために本発明は、ネジ締結される筐体間に補強用のネジ受け部を設け、締結強度を向上させたものである。
【０００６】
これによって、筐体に依存することなくネジの締結強度は保つことが可能となる。
【０００７】
また、本発明のネジ締結は形状を工夫したことにより、挿入作業の確実性、誤挿入防止、逆挿入防止が容易に実現出来る。
【発明の効果】
【０００８】
本発明のネジ締結は、締結される筐体の薄肉化・軽量化を、強度的・作業挟的に安全に実現することができる。
【発明を実施するための最良の形態】
【０００９】
第１の発明は、複数の部位をネジで締結し組み立て構成する装置の筐体において、前記ネジの受け部を筐体を保持する筐体間に挟持したことを特徴としたものである。この構成を成すことにより、前記複数の部位を締結する力が増大し、筐体に薄板を使用したとしても、確実に締結でき、結果的に筐体の強度を確保することができる。
【００１０】
第２の発明は、特に、第１の発明の受け部を筐体の一部に挿入あるいは勘合するように取付けたものである。この構成を成すことにより、受け部の位置決めが確実となり前記複数の部位を締結する力が増大し、筐体に薄板を使用したとしても、確実に締結でき、結果的に筐体の強度を確保することができる。
【００１１】
第３の発明は、特に第１または２の発明の受け部が樹脂からなるものである。この構成を成すことにより、前記複数の部位を締結する力が増大し、筐体に薄板を使用したとしても、確実に締結でき、結果的に筐体の強度を確保することができる。
【００１２】
第４の発明は、特に第１〜３のいずれか１つの発明の受け部は樹脂からなり、且つ、筐体は金属と樹脂からなり、前記筐体は、前記受け部の近傍において、相互に接触するものである。この構成を成すことにより、筐体の強度を確保しながら、筐体の接地を確実に行なうことができる。
【００１３】
第５の発明は、特に第１〜４のいずれか１つの発明の受け部が、筐体に挿入するための爪部と雌ネジ部からなるものである。この構成を成すことにより、筐体に対する受け部の位置決めが確実となり、確実に筐体を構成することができる。
【００１４】
第６の発明は、特に第１〜５のいずれか１つの発明の筐体の一部は、受け部の挿入方向を規制する突起、あるいは切り起こし形状を設けたものである。この構成をなすことにより、筐体に対する受け部の位置決めが確実となり、確実に筐体を構成することができる。
【００１５】
第７の発明は、特に第１〜６のいずれか１つの発明の受け部の一部は、挿入方向を規制するために、他の部位と幅を異なるようにしたものである。この構成をなすことにより、受け部の筐体への取り付けを確実にし、確実に筐体を構成することができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における、筐体に保持されるネジ受け部１を示しており、筐体２に挿入するための幅が違う爪部１ａ・１ｃと雌ネジ部１ｂを設けている。また、筐体２からの外れ防止のディンプル１ｄを設けている。
【００１８】
図２は、本発明の第１の実施の形態における、筐体２を示しており、また、ネジ受け分に当接する切り起こし２ａ、リブ２ｂ、又は挿入部の幅違い２ｃ、２ｄを設けている。
【００１９】
上記の構成によって、図３に示すようにネジ受け部１を筐体２に挿入する際、爪部１ａ、１ｃを筐体２に引っ掛けながら挿入することで、スムーズに間違いなく取付けることができる。また取付けた際には、ネジ受け分の突起１ｄで簡単に外れなくなる。
筐体２には少なくとも２ヶ所以上の挿入部があり、ネジ受け部１は形状違いを挿入する。
【００２０】
このため筐体２の幅違いの角穴２ｃ・２ｄ、切り起こし２ａ、リブ２ｄとネジ受け部１の幅が違う爪部１ａ・１ｃ、雌ネジ部１ｂの取付面の幅違いを組み合わせて、挿入作業の確実性、誤挿入防止、逆挿入防止を実現する。
【００２１】
図３は筐体２にネジ受け部１を取り付けた状態を示す。
【００２２】
図４は、筐体２，３をネジ４で締結した図を示しており、ネジ受け部１は外側からは見えない。
【産業上の利用可能性】
【００２３】
以上のように、本発明にかかるネジ締結を施す分離型空気調和機は、締結される筐体の薄肉化・軽量化を、強度的・作業挟的に安全に実現することができる。
【図面の簡単な説明】
【００２４】
【図１】本発明の実施の形態１におけるネジ受け部１の斜視図
【図２】本発明の実施の形態１における筐体２の、ネジ受け部が嵌まる近傍の斜視図
【図３】本発明の実施の形態１におけるネジ受け部１が筐体２に嵌まっている状態の斜視図
【図４】本発明の実施の形態１における筐体２、３がネジ４で締結されている斜視図
【図５】本発明の実施の形態１におけるネジ受け部１が筐体２に嵌まっている状態の正面図
【図６】従来の実施形態を示す筐体の斜視図
【符号の説明】
【００２５】
１  ネジ受け部
１ａ  爪部
１ｂ  雌ねじ部
１ｃ  爪部
１ｄ  ディンプル
２  筐体２
２ａ  切り起こし部
２ｂ  リブ部
２ｃ  角穴
２ｄ  角穴
３  筐体３
４  ネジ
【図１】
2008020126.tif 000003
【図２】
2008020126.tif 000004
【図３】
2008020126.tif 000005
【図４】
2008020126.tif 000006
【図５】
2008020126.tif 000007
【図６】
2008020126.tif 000008